(57)【要約】      （修正有）【課題】電子メールの作成システムとその方法に関し、主には電子メールを作成にかかる時間を減少できる。【解決手段】電子メールの作成システムは、主に、保存モジュールに保存されるデータを選択する選択モジュールと、電子メールに入力する件名、メール内容を夫々にデータベースの形態で複数個のサンプルを保存する保存モジュールと、選択モジュールが件名サンプル及び内容のサンプルを選択し、電子メールを完成させる作成モジュールと、文字メッセージの入力を提供し、かつ、作成モジュールにより文字入力モジュールが入力された文字メッセージを電子メールに一括することができる文字入力モジュールとを含む。【選択図】図１
2007034851.tif 000002
【特許請求の範囲】
【請求項１】
電子メールの作成システムは件名サンプルを複数個保存する件名データベースと、
内容サンプルを複数個保存するメール内容データベースと、
前記件名データベース及び前記メール内容データベースを選択する内容の選択モジュールと、
前記選択モジュールが選択された前記件名サンプルの一つ及び前記内容サンプルの一つを制御し、電子メールを形成する作成モジュールと、含むことを特徴とする電子メールの作成システム。
【請求項２】
添付ファイルサンプルを複数個保存し、前記選択モジュールを含む電子メールの作成システムであって、前記作成モジュールにより前記選択モジュールが少なくとも一つの添付ファイルサンプルを選択することを制御し、電子メールを作成することを特徴とする請求項１に記載の電子メール作成システム。
デム。
【請求項３】
電子メール連絡先の情報を複数個保存し、選択モジュールで選択すると共に、前記作成モジュールにより該選択モジュールが少なくとも一つの電子メール連絡先の情報を選択することを制御し、前記電子メールを形成する電子メールアドレス帳を含むことを特徴とする請求項１に記載する電子メールの作成システム。
【請求項４】
電子メールアドレスを複数個保存し、選択モジュールを選択すると共に、前記作成モジュールにより該選択モジュールがこられの電子メールアドレスの一つを選択し、前記電子メールを形成する電子メールアドレスデータベースを含むことを特徴とする請求項１に記載する電子メールの作成システム。
【請求項５】
文字メッセージを入力すると共に、前記作成モジュールにより出力された文字メッセージを電子メールに一括する文字入力モジューを含むことを特徴とする請求項１に記載する電子メールの作成システム。
【請求項６】
手入力の入力装置により、入力された手入力情報を捕獲し、かつ、手入力情報をパソコンに読取られるデジタル情報に転換し、該デジタル情報を前記作成モジュールにより電子メールに付加する手入力編集モジュールを含むことを特徴とする請求項１に記載する電子メールの作成システム。
【請求項７】
映像捕獲装置と声音捕獲装置により、映像信号と声音信号の入力を捕獲すると共に、映像信号と声音信号をオーディオービデオファイルに合成し、前記作成モジュールにより付加ファイル方法となるオーディオービデオファイルを利用し、前記電子メールに送るオーディオービデオ編集モジュールを含むことを特徴とする請求項１に記載する電子メールの作成システム。
【請求項８】
更に現在のパソコン画面を捕獲し、前記作成モジュールが新しい電子メールを作成する場合は、目前のパソコンが表示される画面を捕獲し、画像ファイルの方法をワーク画面とし、また、作成モジュールが電子メールを返信、転送する場合は、元の電子メールの全ての内容を捕獲し、かつ、画像ファイルの方法をワーク画面とする画面捕獲モジュールを含むことを特徴とする請求項１に記載する電子メールの作成システム。
【請求項９】
電子メールの作成方法は電子メールを提供するステップと、
前記電子メールでは複数個の件名サンプルの一つを選択するステップと、
前記電子メールでは複数個の内容サンプルの一つを選択するステップと
選択した結果に従って前記電子メールを作成するステップ、選択された前記件名サンプルを前記電子メールの送信件名とし、かつ、選択された前記内容サンプルを前記電子メールとする送信内容のステップと、を含むことを特徴とする電子メールの作成方法。
【請求項１０】
提供された前記電子メールが新しい電子メールであることを特徴とする請求項９に記載する電子メールの作成方法。
【請求項１１】
複数個の件名サンプルの一つを選択するステップと、複数個の内容サンプルの一つを選択するステップは尾引き式によりメニューを選択することを特徴とする請求項９に記載する電子メールの作成方法。
【請求項１２】
前記電子メールでは複数個の少なくとも一つの電子メール連絡先の情報を選択するステップを含み、選択された前記電子メール連絡先の情報を前記電子メールの連絡先の情報とすることを特徴とする請求項９に記載する電子メールの作成方法。
【請求項１３】
複数個の少なくとも一つの電子メール連絡先の情報を選択するステップは、尾引き式によりメニューを選択することを特徴とする請求項１２に記載する電子メールの作成方法。
【請求項１４】
更に前記電子メールでは複数個の電子メールアドレスの一つを選択するステップを含み、選択された前記電子メールアドレスを前記電子メールの送信する際の送信アドレスとして使用することを特徴とする請求項９に記載する電子メールの作成方法。
【請求項１５】
複数個の電子メールアドレスの一つを選択するステップは、尾引き式によりメニューを選択することを特徴とする請求項１４に記載する電子メールの作成方法。
【請求項１６】
更に前記電子メールでは複数個の少なくとも一つの添付ファイルサンプルを選択するステップを含み、選択された前記添付ファイルのサンプルを前記電子メールの添付データとすることを特徴とする請求項９に記載する電子メールの作成方法。
【請求項１７】
複数個の少なくとも一つの添付ファイルサンプルを選択するステップは、尾引き式によりメニューを選択することを特徴とする請求項１６に記載する電子メールの作成方法。
【請求項１８】
更に文字メッセージを前記電子メールに入力することを特徴とする請求項９に記載する電子メールの作成方法。
【請求項１９】
入力された文字メッセージが前記電子メールの件名、送信内容、宛先及び／又は送信アドレスであることを特徴とする請求項１８に記載する電子メールの作成方法。
【請求項２０】
前記電子メールでは手入力の入力装置により手入力情報を入力することを含む特徴とする請求項９に記載する電子メールの作成方法。
【請求項２１】
手入力情報を前記電子メールに入力する際が使用された背景はパソコンに表示されている画面から捕獲し、かつ、画像ファイルの方法により作成することを特徴とする請求項２０に記載する電子メールの作成方法。
【請求項２２】
更に前記電子メールでは映像捕獲装置と声音捕獲装置により映像信号と声音信号を有する入力オーディオービデオファイルを作成することを含む特徴とする請求項９に記載する電子メールの作成方法。
【請求項２３】
電子メールの作成方法は電子メールを提供するステップと、
前記電子メールでは複数個の件名サンプルの一つを選択するステップと、
映像捕獲装置と声音捕獲装置により映像信号と声音信号を有する入力のオーディオービデオファイルを作成するステップと、
選択した結果により前記電子メールを作成するステップを含み、前記件名サンプルを前記電子メールの送信件名として選択し、入力するオーディオービデオファイルを前記電子メールの送信内容として作成することを特徴とする電子メールの作成方法。
【請求項２４】
前記電子メールでは複数個の少なくとも一つの電子メール連絡先の情報を選択するステップを含み、選択された前記電子メール連絡先の情報を前記電子メールの連絡先の情報とすることを特徴とする請求項２３に記載する電子メールの作成方法。
【請求項２５】
更に前記電子メールでは複数個の電子メールアドレスの一つを選択するステップを含み、選択された前記電子メールアドレスを前記電子メールの送信する際の送信アドレスとして使用することを特徴とする請求項２３に記載する電子メールの作成方法。
【請求項２６】
更に前記電子メールでは手入力の入力装置により手入力情報を入力し、入力された手入力情報が前記電子メールの送信内容であることを含む特徴とする請求項２３に記載する電子メールの作成方法。
【請求項２７】
手入力情報を前記電子メールに入力する際に使用された背景はパソコンに表示されている画面から捕獲し、かつ、画像ファイルの方法により作成することを特徴とする請求項２３に記載する電子メールの作成方法。
【請求項２８】
文字内容となる電子メールを読み取るステップと、
映像捕獲装置と声音捕獲装置により映像信号と声音信号を有する入力のオーディオービデオファイルを作成するステップと、
手入力入力装置により作成された手入力信号の入力を前記電子メールの返信内容とし、且つ、前記手入力信号が使用された背景は前記電子メールの全てのメール内容から捕獲すると共に、画像ファイルの方法により作成されるステップと、
作成された前記オーディオービデオファイル及び前記手入力信号の入力に従って前記電子メールの返信内容となり、かつ、前記電子メールを元の送信人に返すステップと、含むことを特徴とする電子メールの作成方法。
【請求項２９】
オーディオービデオ内容となる電子メールを読み取るステップと、
映像捕獲装置と声音捕獲装置により映像信号と声音信号を有する入力のオーディオービデオファイルを作成するステップと、
作成された前記オーディオービデオファイルの入力に従って前記電子メールの返信内容となり、かつ、前記電子メールを元の送信人に返すステップと、含むことを特徴とする電子メールの作成方法。
【請求項３０】
受けた電子メールを読み取るステップと、
前記電子メールでは映像捕獲装置と声音捕獲装置により映像信号と声音信号を有する入力のオーディオービデオファイルを作成するステップと、
作成された前記オーディオービデオファイル及び前記電子メール元の内容の入力を前記電子メールの伝送内容とし、かつ、少なくとも一つの宛先に伝送するステップと、含むことを特徴とする電子メールの作成方法。
【請求項３１】
電子メールアドレス帳から電子メール連絡先の情報を選択するステップと、
オーディオービデオメッセージを録音するステップと、
件名を入力するステップと、
前記電子メールの送信内容とする前記オーディオービデオメッセージ及び前記電子メールの送信件名とする前記件名により電子メールを作成するステップと、
前記電子メールを前記電子メール連絡先の情報に送信するステップと、含むことを特徴とする電子メールの作成方法。
【請求項３２】
前記件名の入力は複数個の件名サンプルの一つを選択することを特徴とする請求項３１に記載する電子メールの作成方法。
【請求項３３】
前記電子メールの送信アドレスとする電子メールアドレスを選択するステップを含むことを特徴とする請求項３１に記載する電子メールの作成方法。
【発明の詳細な説明】
【技術分野】
【０００１】
本発明は電子メールシステムの作成とその方法であり、特に電子メールの作成システムとその方法に関する。
【背景技術】
【０００２】
インターネットの発展につれて、ネットワーク情報の伝送が既に伝統的なペーパー書類に取って代わられ、中では、電子メール（Ｅｍａｉｌ）の伝送技術が最も普及し、会社、家庭及び個人に汎用されている。電子メールは人気がある理由は、速く、国境などに関係しない高速伝送が提供でき、伝送された内容はマルチメディアの情報と、多人数の宛名に同期に伝送できるなどの利点を含み、これらの利点は情報時代に電子メールが欠かせない伝送の媒体になっている。
【０００３】
既存の電子メールの送信方式とは言えば、例えば、アメリカのマイクロソフト社が開発されている電子メールシステム−Ｏｕｔｌｏｏｋ  Ｅｘｐｒｅｓｓ（商品名）は電子メールが送信される際に、電子メールには関連するデータを輸入、設定しなげればならなく、即ち、電子メールが送信するアドレスを選定し、件名の名称と送信する内容を電子メールに輸入し、最後に電子メールには少なくとも一人の宛名を指定しなければならない。よって、電子メールが前記のデータの輸入が完成されると、この電子メールが送信でき、且つ、宛名に受取らせる。
【０００４】
しかし、現在は電子メールを送信する前に、関連するデータを入力しなければならなく、件名かメールの内容がある場合には繰返し使用する可能性があり、例えば、カスタマーサービスにとっては、カスタマーの質問を電子メールにより答えると、異なるカスタマーが同じ質問を有する場合がある。この際に、カスタマーサービスが同じメール件名かメール内容の入力を繰り返すことにより、異なるカスタマーに返信する可能性があるので、時間の無駄となる。且つ、他の人々が同じな質問に合うこともある。従って、既存の電子メールの作成の欠点が電子メールの件名と内容は自分で入力しなければ、電子メールの作成が完成されない。
【発明の開示】
【発明が解決しようとする課題】
【０００５】
本発明が解決しようとする課題は、電子メールの作成システムとその方法を提供することにあり、電子メールを速く作成し、電子メールと関連するデータをキーボートで入力する時間と回数を低下させる。
【課題を解決するための手段】
【０００６】
前記課題を解決するために、本発明は電子メールの作成システムを提供する。件名サンプルを複数個保存する件名データベースと、内容サンプルを複数個保存するメール内容データベースと、前記件名データベース及び前記メール内容データベースを選択する選択モジュールと、前記選択モジュールが件名サンプルの一つ及び前記内容サンプルの一つを選択することを制御し、電子メールを形成する作成モジュールと、含む。
【０００７】
前記課題を解決するために、本発明は更に電子メールの作成方法を提供する。電子メールを提供するステップと、前記電子メールでは複数個の件名サンプルの一つを選択するステップと、前記電子メールでは複数個の内容サンプルの一つを選択するステップと、選択の結果に従って前記電子メールを作成するステップと、を含み、選択された前記件名サンプルを前記電子メールの送信件名とし、かつ、選択された前記内容サンプルを前記電子メールとする。
【０００８】
本発明の電子メールの作成システムとその方法は、電子メールに入力するメッセージをデータベースに保存しておき、電子メールを作成する際に、電子メールの入力アイテム例えば、件名或はメールの内容をデータベースからデータを選択するようにする。こうすると、電子メールの作成を速く完成すると共に、時間を節約する。
【発明を実施するための最良の形態】
【０００９】
審査官に本発明の目的の技術、手段及び効果を達することを理解するために、以下に本発明に係る詳細な説明と添付図面を参照すると、本発明の目的、特徴及び特性が認められ、ここにより深く具体的に理解できる。しかし、添付図面は単に参照と説明だけに用いられ、本発明に限定されない。
【００１０】
図１は本発明に係るシステム構造図である。本実施例では電子メールの作成システム１を提供し、電子メールを速く作成できる。本実施例は主には電子メールに入力するアイテムの種々を作成しておき、ユーザーに選択する関連データサンプルを供し、例えば、メール件名、メール内容・・・等である。電子メールの作成システム１は選択モジュール１０、作成モジュール１２、文字入力モジュール１４、保存モジュール１６、手入力編集モジュール１７、オーディオービデオ編集モジュール１８及び画面捕獲モジュール１９を含み、保存モジュール１６は更に件名データベース１６１、メール内容データベース１６２、添付ファイルデータベース１６３、電子メールアドレスデータベース１６４及び電子メールアドレス帳１６５を含む。
【００１１】
保存モジュール１６が保存される情報は電子メールにおける入力するアイテムの種々である。例えば、件名データベース１６１は複数個の件名サンプルを先に保存でき、メール内容データベース１６２は複数個の内容サンプルを先に保存でき、添付ファイルデータベース１６３は複数個の添付ファイルサンプルを先に保存でき、電子メールアドレスデータベース１６４は複数個の電子メールアドレスを先に保存でき、電子メールアドレス帳１６５は複数個の電子メール連絡先の情報の宛先データを先に保存できる。
【００１２】
本実施例が提供される件名サンプルと内容サンプルについて、更に公衆の場所と非公開の場所に設置され、公衆の場所とは使用されるパソコンによりメールサーバー（図示せず）に接続され、メールサーバーを利用し、件名サンプルと内容サンプルを提供することを謂って、非公開の場所とは直接に使用されるパソコンにより件名サンプルと内容サンプルを取ることを謂う。
【００１３】
保存モジュール１６における各データベースが保存されるデータの選択について、選択モジュール１０により選択の操作を提供する。例えば、件名データベース１６１を選択する場合は選択モジュール１０により複数個の件名サンプルの一つから選択し、電子メールとする送信件名である。実際に選択の過程において、件名データベース１６１が保存される複数個の件名サンプルはメニューに一括され、こうして、選択モジュール１０はメニューでは件名サンプルを移動、選択するようにする。他のデータベースの選択作動に対して件名データベース１６１の選択作動とは同じである。
【００１４】
作成モジュール１２は選択モジュール１０の選択結果に応じて、完全的な電子メールを作成できる。作成モジュール１２は実行する際に、選択モジュール１０の選択結果を合わせると、件名データベース１６１から選択された件名サンプルを電子メールの送信内容とし、メール内容データベース１６２から選択された内容サンプルを電子メールの送信内容とし、添付ファイルデータベース１６３から選択された少なくとも一つの添付ファイルサンプルを電子メールの送付データとし、電子メールアドレスデータベース１６４から選択された電子メールアドレスを電子メールの送信する際の送信アドレスとし、電子メールアドレス帳１６５から選択された少なくとも一つの電子メール連絡先の情報を電子メールの連絡先の情報とする。
【００１５】
本実施例において、選択モジュール１０により保存モジュール１６から電子メールの関連データを選択する他に、例えば、件名サンプル、内容サンプルなど、他の方法により電子メールを作成でき、例えば、文字入力モジュール１４により文字を入力し、手入力編集モジュール１７により手入力信号を入力し、オーディオービデオ編集モジュール１８によりオーディオービデオ信号を入力し、画面捕獲モジュール１９によりパソコンの画面を捕獲し、電子メールを作成する際の背景に用いられ、作成モジュール１２の制御を利用し、入力されたこれらのデータを電子メールに一括するようにする。
【００１６】
本実施例における文字入力モジュール１４は文字情報を入力する操作に用いられ、ユーザー端に対して電子メールにおける送信件名、送信内容、宛先或いは文字情報を入力するアイテムに直接に文字情報を入力することができる。文字入力モジュール１４はが入力された文字情報に対して、作成モジュール１２が文字情報を電子メールに一括できるようにする。
【００１７】
本実施例の手入力編集モジュール１７を実行する場合は、手入力入力装置１７１を起動し、入力された手入力信号を捕獲することができると共に、手入力編集モジュール１７により手入力信号をパソコンに読取られるデジタル信号に転換し、更に作成モジュール１２を利用し、このデジタル信号を電子メールの画面に付加し、こうすると、手入力信号を電子メールの送信内容とする。
【００１８】
また、本実施例のオーディオービデオ編集モジュール１８を実行する場合は、映像捕獲装置１８１とオーディオ捕獲装置１８２を起動し、それぞれに映像信号とオーディオ信号の入力が捕獲され、例えば、映像信号とオーディオの捕獲に用いわれ、且つ、オーディオービデオ編集モジュール１８により映像信号とオーディオ信号をオーディオービデオファイルが合成され、作成モジュール１２により付加ファイルの方法でオーディオービデオファイルを電子メールに加えることができる。よって、ユーザーはオーディオービデオファイルの作成方法により電子メールの送信内容を完成できる。
【００１９】
本実施例の画面捕獲モジュール１９はパソコン画面捕獲を提供し、例えば、作成モジュール１２により新しい電子メールを作成する場合は、画面捕獲モジュール１９がパソコンに表示されている画面を捕獲し、画像ファイルの方法をパソコンの画面とし、作成モジュール１２が電子メールを返信或いは転送する場合は、画面捕獲モジュール１９は元の電子メールの全ての内容を捕獲し、画像ファイルの方法をパソコンの画面とする。本実施例のパソコン画面の用途について、手入力編集モジュール１７が入力された手入力信号の背景とし、使用される。
【００２０】
図２は本実施例に係る新しい電子メールの作成の操作流れを示す図、下記のステップからなる。まず、新しい電子メールを開くステップ（ステップＳ２０１）、選択モジュール１０により電子メールアドレスデータベース１６４における複数電子メールアドレスからその一つがこの電子メール上の送信アドレスとなること選択するステップ（ステップＳ２０３）、次に選択モジュール１０により電子メールアドレス帳１６５内の複数個電子メール連絡先の情報から少なくとも一つの電子メール連絡先の情報を選択し、電子メールの宛先のアイテムとするステップ（ステップＳ２０５）、又は、文字入力モジュール１４により直接に宛先のデータを電子メール上の宛先のアイテムを入力するステップ（ステップＳ２０７）、前記した宛先のアイテムが電子メールである。
【００２１】
ステップＳ２０５又はステップＳ２０７を完了した後、更に、選択モジュール１０により電子メールアドレス帳１６５内の複数個電子メール連絡先の情報から少なくとも一つの電子メール連絡先の情報を選択し、電子メールのシーシーメール及びビーシーシー（ブラインドカーボンコピー）とするステップ（ステップＳ２０９）、又は、文字入力モジュール１４により直接に宛先のデータを電子メール上のシーシーメール及びビーシーシー（ブラインドカーボンコピー）のアイテムを入力するステップ（ステップＳ２１１）。
【００２２】
ステップＳ２０９又はステップＳ２１１を完了した後、更に、選択モジュール１０により添付ファイルデータベース１６３内の複数個添付ファイルサンプルから少なくとも一つの添付ファイルサンプルを選択し、電子メールの送付アイテムとするステップ（ステップＳ２１３）、又は、パソコンにより直接に添付ファイルデータを電子メール上の添付ファイルを入力するステップ（ステップＳ２１５）。
【００２３】
ステップＳ２１３又はステップＳ２１５を完了した後、更に、選択モジュール１０により件名データベース１６１内の複数個件名サンプルから一つの件名サンプルを選択し、電子メールの件名サンプルとするステップ（ステップＳ２１７）、又は、文字入力モジュール１４により直接に件名名称を電子メール上の件名アイテムを入力するステップ（ステップＳ２１９）。
【００２４】
ステップＳ２１７又はステップＳ２１９を完了した後、更に、選択モジュール１０によりメール内容データベース１６２内の複数個内容サンプルから一つの内容サンプルを選択し、電子メールのメール内容アイテムとするステップ（ステップＳ２２１）、又は、文字入力モジュール１４、手入力編集モジュール１７、オーディオービデオ編集モジュール１８及び／又は画面捕獲モジュール１９により直接に内容を電子メール上のメール内容のアイテムを入力するステップ（ステップＳ２２３）。
【００２５】
前記の各種選択又は入力を完了すると、作成モジュール１２が前記の選択又は入力により電子メールを完全に作成すると共に、電子メールを出すステップ（ステップＳ２２５）。
本実施例の作成モジュール１２の電子メールの作成の方法は主には下記のステップからなる。件名データベース１６１から選択された件名サンプル又は入力された件名名称を電子メールの送信件名とするステップ。メール内容データベース１６２から選択された内容サンプル又は入力された内容を電子メールの送信件名とするステップ。添付ファイルデータベース１６３から選択された少なくとも一つの添付ファイルサンプル又は入力された添付ファイルデータを電子メールの送付データとするステップ。電子メールアドレスデータベース１６４から選択された電子メールアドレスを電子メールが送信する際の送信の電子メールアドレスとするステップ。電子メールアドレス帳１６５から選択された電子メール連絡先の情報又は宛先のデータの入力を電子メールの宛先、シーシーメールの宛先及びビーシーシー（ブラインドカーボンコピー）の宛先とするステップ。
【００２６】
また、図２においてメール内容の作成について、選択モジュール１０により内容サンプルを選択し、電子メールを完成させる他に、更に文字入力モジュール１４、手入力編集モジュール１７、オーディオービデオ編集モジュール１８及び／又は画面捕獲モジュール１９により、入力された文字、手入力信号及び／又はオーディオービデオファイルを電子メールに加えて、加えられた手入力信号及びオーディオービデオファイルがキーボードの入力によらず完成でき、こうすると、電子メールを有効的に高速に作成できるようになる。
【００２７】
図３は電子メールが返信／伝送の作成のフローチャートを示す。電子メールを受けつつ読取りするステップ（Ｓ３０１）、受けた電子メールを伝送（Ｓ３０３）又は返信（Ｓ３０５）するステップ、伝送を選択する場合は伝送内容が元のメール内容を保持する以外に、オーディオービデオの作成の説明とは同時に伝送するステップ（Ｓ３０７）、オーディオービデオの作成方法がオーディオービデオ編集モジュール１８により完成される。返信を選択する場合は返信内容が文字作成より返信するステップ（Ｓ３０９）又は、オーディオービデオ／手入力の画面により返信を作成するするステップ（Ｓ３１１）、又はオーディオービデオの作成により返信するステップ（Ｓ３１２）がある。そのオーディオービデオの作成がオーディオービデオ編集モジュール１８により完成され、手入力画面の作成が手入力編集モジュール１７により手入力信号を入力し、画面捕獲モジュール１９を合わせて捕獲されたパソコン画面を完成し、Ｓ３１１が元の電子メールの送信内容が文字内容であることに適用され、Ｓ３１２が元の電子メールの送信内容がオーディオービデオ内容であることに適用される。伝送内容又は返信内容が完成された後、次に電子メールアドレス（Ｓ３１３）が電子メールを送信することに用いられる電子メールアドレスを決めるものである。
【００２８】
また、ステップＳ３１２の後に、受けた電子メールが伝送方法により処理すると、直に宛先のデータ（Ｓ３１５）を直接に入力し、又は電子メールアドレス帳１６５から電子メール連絡先の情報を連絡先の情報（Ｓ３１７）とする。更に件名（Ｓ３２１）を直接に入力し、又は件名データベース１６１から件名（Ｓ３２３）を選択する。最後に作成モジュール１２により前記の伝送内容、宛先のデータ及び件名を作成し、電子メールを完成させ伝送の方法により送信する。
【００２９】
また、ステップＳ３１３の後に、受けた電子メールが返信方法により処理すると、直に元の送信人（Ｓ３１９）を直接に返信し、又はシーシーメール方法により他の宛先を送信し、件名（Ｓ３２１）を更に入力し、又は件名（Ｓ３２２）を選択してもよい。最後に、作成モジュール１２により前記の伝送内容、及び件名を作成し、電子メールを完成させ、返信の方法により送信する。
【００３０】
図４は本発明の最良の実施例が電子メールアドレス帳により電子メールを作成するフローチャートを示す。電子メールアドレス帳を開くステップ（Ｓ４０１）、電子メールアドレス帳内の電子メール連絡先の情報を選択するステップ（Ｓ４０３）、オーディオービデオ編集モジュール１８によりオーディオービデオメッセージを録画するステップ（Ｓ４０５）、録画の結果をプレビューするステップ（Ｓ４０７）、件名を入力し続けるステップ（Ｓ４０８）、又は、件名データベース１６１から件名を選択するステップ（Ｓ４０９）、電子メールアドレスを選択するステップ（Ｓ４１１）、最後に作成モジュール１２から前記したステップの実行により電子メールを作成させる。ステップ（Ｓ４０５）のオーディオービデオメッセージが電子メールの内容であり、ステップ（Ｓ４０８）かステップ（Ｓ４０９）の件名が電子メールの送信件名であり、この電子メールをステップ（Ｓ４０３）が選択された電子メール連絡先の情報に送信する。図４が完了した後、直接に選択された電子メール連絡先の情報と、相手のインターネットとはコミュニケーションできるようになる。
【００３１】
図５は本発明に係る電子メールの概略を示す図である。本実施例における電子メールは送信アドレスアイテム、宛先のアイテム、シーシーメールのアイテム、ビーシーシー（ブラインドカーボンコピー）のアイテム、送付のアイテム、件名のアイテム、内容サンプルのアイテムなどを含む。夫々のアイテムが尾引き式のメニュー３１を合わせて各種のアイテムのデータを選択でき、各種のアイテムがデータを直接に入力してもよい。従って、本実施例の電子メールの作成システム１が電子メールの作成を早く完成できる。
【産業上の利用可能性】
【００３２】
前記したように、本実施例の電子メールの作成システムとその方法が前記の電子メールの作成方法のそれぞれには組合わせ或いは結合をする。例えば、電子メールを作成する際に選択モジュール１０により保存モジュール１６のそれぞれのデータベースからメール内容を選択でき、或いは、文字入力モジュール１４の文字入力か手入力編集モジュール１７の手入力信号かオーディオービデオ編集モジュール１８のオーディオービデオ信号により入力してもよい。本実施例は電子メールを作成する際に、できるだけキーボードの入力回数と時間を減少すると共に、電子メールの作成効果を速く達成する。
【００３３】
すると、本発明は確かに前記の技術により、従来と異なるデザインを提供する。使用価値を高めるだけではなく、出願する前に、雑誌か公開使用に掲示されていないので発明特許の要件に合う。特許法に従って出願する。
【００３４】
しかし、前記の添付図面、説明が単に本発明の実施例のみであり、この分野を熟知する者が前記の説明により種々の変更することができるが、変更されたものが本発明の発明精神と請求項の範囲に含まれる。
【図面の簡単な説明】
【００３５】
【図１】本発明の最良の一実施例に係るシステムを示す構造図。
【図２】本発明の最良の一実施例に係る電子メールの作成を示すフローチャート。
【図３】本発明の最良の一実施例に係る電子メールの受け、返信／伝送の作成を示すフローチャート。
【図４】本発明の最良の一実施例が電子メールアドレス帳により電子メールを作成することを示すフローチャート。
【図５】本発明の電子メールを示す概略図。
【符号の説明】
【００３６】
１                        電子メールの作成システム
１０                      選択モジュール
１２                      作成モジュール
１４                      文字入力モジュール
１６                      保存モジュール
１６１                    件名データベース
１６２                    メール内容データベース
１６３                    添付ファイルデータベース
１６４                    電子メールアドレスデータベース
１６５                    電子メールアドレス帳
１７                      手入力編集モジュール
１７１                    手入力入力装置
１８                      オーディオービデオ編集モジュール
１８１                    映像捕獲装置
１８２                    オーディオ捕獲装置
１９                      画面捕獲モジュール
【図１】
2007034851.tif 000003
【図２】
2007034851.tif 000004
【図３】
2007034851.tif 000005
【図４】
2007034851.tif 000006
【図５】
2007034851.tif 000007